(57)【要約】      （修正有）【課題】コンピュータシステム、更にはネジを供給するシステムと一体的になった大掛りな装置に頼ることなく、ビス締付を電気的にカウントし、目視にて所定本数を確認できるビス締め検知装置を提供する。【解決手段】検知装置は、マイクロスイッチＭを収納する収納ボックス１と、収納ボックスの側部に螺着され、マイクロスイッチのアクチエータ７を反転自在となる様、外部に伸延突出する収納ボックスの口金部８、及び収納ボックスの口金部に直交して装着され、エアー導入口金部１１及びエアー送出口金部１２とで構成されたＴ字型継手金具９と、更にＴ字型継手金具のエアー導入口金部から噴出されたエアー圧によってアクチエータが作動してマイクロスイッチをオン動作させ、且つエアーの噴出停止によってオフ動作すると共に、反復動作回数をカウントする表示装置とで構成される。【選択図】図３
0003219544.tif 000002
【実用新案登録請求の範囲】
【請求項１】
▲１▼マイクロスイッチを収納する収納ボックスと、
▲２▼この収納ボックスの側部に螺着されると共に、
ａ）前記マイクロスイッチのアクチエータを反転自在となる様、外部に伸延突出する収納ボックスの口金部
ｂ）及びこの収納ボックスの口金部に直交して装着されると共に、エアー導入口金部
ｃ）及びエアー送出口金部とで構成されたＴ字型継手金具
と、
▲３▼更にこのＴ字型継手金具のエアー導入口金部から噴出されたエアー圧によって前記マイクロスイッチのアクチエータが作動して該マイクロスイッチをオン動作させ、且つエアーの噴出停止によってオフ動作すると共に、その反復動作回数をカウントする表示装置とで成したことを特徴とするビス締め検知装置。
【請求項２】
前記収納ボックスは、マイクロスイッチを収納し、且つ口金部を有する下筐体と、この下筐体の上開口を閉塞する上カバーとしたことを特徴とする請求項１記載のビス締め検知装置。
【請求項３】
前記継手金具は、Ｔ字型とし、下口部は前記収納ボックスの口金部との連結に、更に左右口部はエアーの入出力との連結にとしたことを特徴とする請求項１〜２の何れか１記載のビス締め検知装置。
【請求項４】
前記収納ボックスは、下筐体と上開口を閉塞する上カバーとの間に軟質性の防水シートを介在させたことを特徴とする請求項１〜３の何れか１記載のビス締め検知装置。
【考案の詳細な説明】
【技術分野】
【０００１】  本考案は、エアードライバーを用いてビス締め作業を行う場合において、その所定本数のビス締めが完結されたか否かを確認するビス締め検知装置に関する。
【背景技術】
【０００２】  一般的にエアードライバーを用いてのビス締め作業は、一つの製品に複数本、時には１０数本からのビス締めを連続して行うこととなる。
而して、これら所定のビス締め本数の適否は作業者の目視に委ねられていることから、特許文献１の如くコンピュータシステムにより管理することが指向されているが、余りにもシステムが大がかりであって、特に小規模な企業には適しない。
更に、特許文献２についても、ビスを供給するシステムと一体的になった装置であって、特にビスの長さ、径、更には形状によっては、供給するシステム（治具等）が異なることから、システム全体が大がかりなものとなった。
【先行技術文献】
【０００３】
【特許文献１】特開２００８−２７９５８９号  公報
【特許文献２】特平開２−１２４２７６号  公報
【考案の概要】
【考案が解決しようとする課題】
【０００４】  コンピュータシステム、更にはビスを供給するシステムと一体的になった大掛りな装置に頼ることなく、ビス締付を一本毎に電気的信号に変換してカウントし、目視にて所定のビス締め本数を確認できることとする。
【課題を解決するための手段】
【０００５】  本考案は、マイクロスイッチを収納する収納ボックスと、この収納ボックスの側部に螺着されると共に、
ａ）前記マイクロスイッチのアクチエータを反転自在となる様、外部に伸延突出する収納ボックスの口金部
ｂ）及びこの収納ボックスの口金部に直交して装着されると共に、エアー導入口金部
ｂ）及びこの収納ボックスの口金部に直交して装着されると共に、エアー導入口金部
ｃ）及びエアー送出口金部とで構成されたＴ字型継手金具
と、
更にこのＴ字型継手金具のエアー導入口金部から噴出されたエアー圧によって前記マイクロスイッチのアクチエータが作動して該マイクロスイッチをオン動作させ、且つエアーの噴出停止によってオフ動作すると共に、その反復動作回数をカウントする表示装置とで成したことを特徴とするものである。【０００６】  更に本考案は、収納ボックスは、マイクロスイッチを収納し、且つ口金部を有する下筐体と、この下筐体の上開口を閉塞する上カバーとしたことを特徴とするものである。【０００７】  更に本考案は、継手金具は、Ｔ字型とし、下口部は前記収納ボックスの口金部との連結に、更に左右口部はエアーの入出力との連結にとしたことを特徴とするものである。【０００８】  更に本考案は、収納ボックスは、下筐体と上開口を閉塞する上カバーとの間に軟質性の防水シートを介在させたことを特徴とするものである。
【考案の効果】
【０００９】（１）請求項１により、通常のエアードライバーでのビス締め工程において、コンプレッサーからのエアー圧力に対応してマイクロスイッチのアクチエータがオン動作する回数をカウントすることによって、所定のビス本数を確認でき、締め忘れを防止できると共に、而も大がかりなコンピュータシステムに頼ることもない。
更に、マイクロスイッチのアクチエータのオン動作をするカウントすることから、ビスの種類（長さ、径）によって、供給システムを変更する必要もない。【００１０】（２）請求項２により、収納ボックスは、マイクロスイッチを収納し、且つ口金部を有する下筐体と、この下筐体の上開口を閉塞する上カバーとより構成されているから、部品点数は極めて少なく、保守点検も容易となる。【００１１】（３）請求項３により、継手金具は、Ｔ字型とし、下口部は前記収納ボックスの口金部と連結し、左右口部はエアーの入出力との連結にとしたから、エアードライバーへの圧縮エアーの噴出供給をアクチエータが確実に反応し、エアードライバーのビス締め動作回数を正確に検知し、カウントする。
【図面の簡単な説明】
【００１２】
【図１】ビス締め検知装置の正面図
【図２】同上の横断面図
【図３】同上の開蓋状態を示す正面図
【考案を実施するための形態】
【００１３】  以下本考案を実施形態の図面に基づいて説明すると、図１はビス締め検知装置の正面図であって、四辺形の収納ボックス１は下筐体２とその上開口２ａを閉塞する上カバー３とで成しており、上開口２ａは軟質性の透明防水シート４にて覆われ、ビス５にて封止する。
下筐体２の底部２ａには収納したマイクロスイッチＭをビス６にて固定している。
マイクロスイッチＭは共通端子Ｃｔに連なるアクチエータ７、このアクチエータ７の反転動作によりオン接合する常開端子Ｎｏ、更には常閉端子Ｎｃとで成しており、この常閉端子Ｎｃには常時アクチエータ７が接合しており、例えば検知装置の電源表示として用いることができる。
【００１４】  収納ボックス１の下筐体２にはエアードライバーへの圧縮エアーを噴出供給するＴ字型継手金具９が装備されている。
具体的には図３に示す様に、収納ボックス１の下筐体２に外部に突出すると共に、口金部８を固定し、この口金部８にＴ字型継手金具９の口金部１０が螺合し、且つＴ字型継手金具９のエアー導入口金部１１とエアー送出口金部１２との間にマイクロスイッチＭのアクチエータ７の先端７ａが位置することとなり、エアードライバーへの圧縮エアーの噴出供給に対し、アクチエータが反応してマイクロスイッチＭをオン動作させる。
【００１５】  次にエアードライバーを用いてビス締作業を説明すると、図３に於いて、エアードライバーの操作によって、Ｔ字型継手金具９のエアー導入口金部１１からエアー送出口金部１２に至ってエアーが噴流する。
この噴流圧に対応して両口金部１１、１２間に位置しているマイクロスイッチＭのアクチエータ７の先端７ａが破線にて示す様に反転し、アクチエータ７が常閉端子Ｎｃ（実質的にはオフ状態接合）から常開端子Ｎｏと接合し、表示装置Ｒは閉回路となって点灯表示する。
而して、このマイクロスイッチＭのオン動作回数を表示装置Ｒにてカウントし、エアードライバーを用いて行うビス締め作業において、所定本数のビス締めを確認する。
【符号の説明】
【００１６】  Ｍ    マイクロスイッチ
Ｎｏ  常開端子
Ｎｃ  常閉端子Ｎｃ
Ｃｔ  共通端子
Ｒ    表示装置
１    四辺形の収納ボックス
２    下筐体
３    上カバー
４    透明防水シート
５    ビス
６    ビス
７    アクチエータ７
８    口金部
９    Ｔ字型継手金具
１０  口金部
１１  エアー導入口金部
１２  エアー送出口金部
【図１】
0003219544.tif 000003
【図２】
0003219544.tif 000004
【図３】
0003219544.tif 000005